【手続補正書】
【提出日】平成26年3月28日(2014.3.28)
【手続補正１】
【補正対象書類名】明細書
【補正対象項目名】００３８
【補正方法】変更
【補正の内容】
【００３８】
上部カバー成形部１９は、上部フランジ１７の下方に嵌合され、上記と同様に、凹部５９内へのタング６０の係合によりアセンブリ３６／８の上端部を規制する。装飾用ストリップ３２の上端部は、カバー成形部の下部リム６１に係合され、リムは、突出部１１を囲むように形成されてタングを収容する。成形部は、凹部５９の後方に２つのボス６２を備え、（図示しない）ネジが上部フランジ１７を貫通し、ボス６２内に挿入されて、成形部を固定する。さらに、成形部の２つの十字型スピゴット（栓）６３が、上部フランジに形成された孔６４に係合される
【手続補正２】
【補正対象書類名】明細書
【補正対象項目名】００５２
【補正方法】変更
【補正の内容】
【００５２】
ドアハンドル１００の内側において、液体タンク又は下部タンク１２４が、リフィルボトル１２２の下に配置される。液体タンク１２４は、表示窓１１８を通してタンク１２４の中身（たとえば、液状又はジェル状抗菌剤や消毒剤）を見ることができるように、ドアハンドル１００内に設置される。液体タンク１２４の上部に、リフィルボトル１２２の蓋部２００の開口部２０１を収容するカラー１２８が設けられる。カラー１２８は直立穿孔部１３０を備え、リフィルボトル１２２の蓋部２００がカラー１２８に取り付けられると、穿孔部１３０がリフィルボトル１２２のシール１２７に孔を開ける。穿孔部１３０は、蓋部２００の開口部２０１を貫通する。カラー１２８は、さらに、開口部１３２を備え、これにより、重力の作用で、リフィルボトル１２２の液体をリフィルボトル１２２の開口部１２６からタンク１２４に流入させることができる。
【手続補正３】
【補正対象書類名】明細書
【補正対象項目名】００５６
【補正方法】変更
【補正の内容】
【００５６】
液体タンク１２４のカラー１２８に隣接して、マイクロスイッチ等の電気スイッチ１４０が設置される。スイッチ１４０は、ボタン電池等の（図示しない）電源に接続される。スイッチ１４０及び電池は発光ダイオード（ＬＥＤ）３０１に電気的に接続され、スイッチ１４０をオンにすると、ＬＥＤにより下部タンク１２４が照らされる。他の光源を用いるようにしてもよいし、異なる位置に光源を設置して、下部タンク及び／又は上部タンクの一部又は全部を照明するようにしてもよい。ドアハンドル１００にリフィルボトル１２２を設置すると、リフィルボトル１２２がスイッチ１４０に圧力を加えて、スイッチがオンになるように、スイッチ１４０が構成される。リフィルボトル１２２が取り外されると、スイッチがオフになる。
【手続補正４】
【補正対象書類名】明細書
【補正対象項目名】００６６
【補正方法】変更
【補正の内容】
【００６６】
図２１において、エンドキャップ１３６は孔１５０を備え、これによりカラー１５２に液体を流入させることができる。孔１５０は、逆止弁１３５により閉鎖可能である。細長い可撓性チューブ又は管状弾性容器１５４が、カラー１５２に取り付けられる。管状弾性容器１５４は排水装置を形成する。細長いチューブ１５４は、カラー１５２の外周面に形成される縁部を介した締まり嵌めによりカラー１５２に連結される液体注入口１５８と、中央領域１５６と、流入口１６０と、を備える。流出口１６０は、カラー流出口３００の外周面に形成される縁部を介した締まり嵌めにより継手１７４に連結される。細長いチューブ１５４はエラストマー（たとえば、シリコーン）から形成される。
【手続補正５】
【補正対象書類名】明細書
【補正対象項目名】００７０
【補正方法】変更
【補正の内容】
【００７０】
可動部分は、可動部分の両側端部に配置されるタング１９４及び１９５を用いて、静止位置に保持される。タング１９４は、キャップ１３６に形成される凹部に収容される。一方、タング１９５は、タング１９４とは反対側の可動部分の端部に位置し、下部部材１１６のガイドにより収容される。タング１９４及び１９５は、可動部分１６６を固定部分１６２に向かう方向に動かすことを可能にすると共に、可動部分１６６が固定部分１６２から完全に切り離されることがないように構成される。
【手続補正６】
【補正対象書類名】明細書
【補正対象項目名】００７６
【補正方法】変更
【補正の内容】
【００７６】
図２３に示すように、蓋部１０６を取り外すことにより、リフィルボトル１２２の上端部があらわれる。図示するように、蓋部は、カバー１０２に形成された凹部１１１に係合する可動タング１０９を備える。蓋部１０６は、カバー１０２に対向する側にタング１０９を備え、一方、カバー１０２は、蓋部１０６に対向する側に凹部を備える。タング１０９を動かすことにより、蓋部１０６を取り外す、及び／又は、適切な位置に固定することが可能になる。たとえば、適切な鍵を用いて、ロック機構１０８を回すことにより、タング１０９を操作する。可動タング１０９は、鍵を用いることなく適切な位置に蓋部１０６を押し込むことができるように装着されたバネでもよい。
【手続補正７】
【補正対象書類名】明細書
【補正対象項目名】００７９
【補正方法】変更
【補正の内容】
【００７９】
ドアハンドル１００のカバー１０２を図示する。図示するように、カバー１０２は、ドアハンドル１００の部材を収容する略Ｕ字型の上部１０２ａを備える。カバーの下部１０２ｂは、ユーザーがグリップ１１２を握ることができるように切り取った領域又は凹部領域２０７を有する。カバーの下部１０２ｂは、下部部材１１６用の開口部２０６を有する。カバーの下部１０２ｂは、さらに、上部支持部材１１４を収容する開口部２０８を有する。カバーの上部１０２ａは、ガード１０４内に配置される領域１０５を備える。この例では、領域１０５は、ガード１０４がカバー１０２の表面と同一平面を形成するように構成される凹部領域を備える。ただし、この構成は、見た目をよくするという理由によるものである。
【手続補正８】
【補正対象書類名】明細書
【補正対象項目名】００８１
【補正方法】変更
【補正の内容】
【００８１】
図示するように、下部部材１１６は突出部２０４を備える。第１のグリップ１１２の（図２１に示す）タング１９５を突出部２０４に係合させることにより、（図２１に示す）可動部分又はトリガー１６６を（図２１に示す）固定部分１６２に向かう方向に動かすことを可能にすると共に、可動部分１６６が第１のグリップ１１２の固定部分１６２から完全に切り離されることがないようにする。
【手続補正９】
【補正対象書類名】明細書
【補正対象項目名】００９１
【補正方法】変更
【補正の内容】
【００９１】
基部１１０は、取り付け手段１３８を用いて、バックプレートの下側水平部分２６６ｃに取り付けられる。下部支持部材２５８は、第２のグリップ２５２に形成された孔に収容される（突出部２０４と同様の）突出部２４６を備える。第２のグリップ２５２は、セルフタッピングねじ等の固定手段を用いて、下側水平部分２６６ｃ及び上側水平部分２６６ａの位置で、バックプレート２６６に固定される。
【手続補正１０】
【補正対象書類名】明細書
【補正対象項目名】００９９
【補正方法】変更
【補正の内容】
【００９９】
図３２に、第４の実施形態におけるドアハンドル１００の断面を概略的に示す。ドアハンドルは、以下の相違を除いて、第２の実施形態のドアハンドルと同様のものである。図３２において、開口部１３２は、カラー１２８上で開口部１３２に隣接して回動可能に取り付けられるフラップ３０２を備える。フラップ３０２は、コイルばね又はらせんバネ２６８を備え、これに抗して作用するものがなければ、フラップ３０２を押し閉じる。フラップ３０２は、閉位置にある場合に、開口部１３２を閉じて、汚染物質やゴミがタンク１２４に入るのを防ぐ。タンク１２４の上部には（図示しない）排出口が設けられ、液体が開口部１２６を介して流入するのに伴い、タンク１２４から空気を排出させる。フラップ３０２は、閉位置にある場合に、さらに、排出口も閉じる。
【手続補正１１】
【補正対象書類名】明細書
【補正対象項目名】０１００
【補正方法】変更
【補正の内容】
【０１００】
フラップ３０２は、上部タンク又はリフィルボトル１２２の開口部１２６に嵌合するエンドキャップ２７０から伸長するフィラメント２６４によって、閉位置から開位置に動かされる。エンドキャップ２７０は開口部２６２を備え、この開口部２６２により、液体が流出可能になると共に、穿孔部１３０のシール１２７への穿孔が可能になる。リフィルボトル１２２をドアハンドル１００に取り付けると、フィラメント２６４がフラップ３０２に抗して作用し、フラップ３０２を開位置に動かす。リフィルボトル１２２を外すと、フラップ３０２は、バネ２６８の作用により閉位置に動く。
【手続補正１２】
【補正対象書類名】図面
【補正対象項目名】図１８
【補正方法】変更
【補正の内容】
【図１８】
2013527890.tif 000001
【手続補正１３】
【補正対象書類名】図面
【補正対象項目名】図２１
【補正方法】変更
【補正の内容】
【図２１】
2013527890.tif 000002
【手続補正１４】
【補正対象書類名】図面
【補正対象項目名】図３２
【補正方法】変更
【補正の内容】
【図３２】
2013527890.tif 000003